(57)【要約】  【課題】閲覧性及び運搬の際の利便性の向上を図ることができる構成のファイルボックスを提供する。  【解決手段】内部に収納空間を有するファイルボックス本体と、その収納空間を区成する仕切板と、その仕切板に設けられた把手とを備え、前記ファイルボックス本体は、前板と、前記前板よりも高く設定された後板と、これら前板及び後板を連結する両側板とを備え、前記両側板及び前記仕切板の上縁は斜め状に切り欠いて形成されており、前記把手は、前記仕切板に対して、その上縁が前記後板の上縁とほぼ同じ高さ位置又は低い位置となる没入位置と、その上縁が前記後板の上縁よりも上方となる引き出し位置との間で突没動作可能に設けられたものであり、前記没入位置においても前記把手の把持部が露出するように構成されているような構成を採用する。【選択図】図２
2018183966.tif 000002
【特許請求の範囲】
【請求項１】
内部に収納空間を有するファイルボックス本体と、その収納空間を区成する仕切板と、その仕切板に設けられた把手とを備え、
前記ファイルボックス本体は、前板と、前記前板よりも高く設定された後板と、これら前板及び後板を連結する両側板とを備え、前記両側板及び前記仕切板の上縁は切り欠いて形成されており、
前記把手は、前記仕切板に対して、その上縁が前記後板の上縁とほぼ同じ高さ位置又は低い位置となる没入位置と、その上縁が前記後板の上縁よりも上方となる引き出し位置との間で突没動作可能に設けられたものであり、
前記没入位置においても前記把手の把持部が露出するように構成されているファイルボックス。
【請求項２】
前記把手の把持部を把持して持ち上げた場合に、前記空のファイルボックス本体が後傾する位置に、当該把持部の前後方向位置を設定している請求項１記載のファイルボックス。
【請求項３】
前記把手を引き上げた際に、前記仕切板に当接する当該把手の当接部分が、前記仕切板の形状に対応するように斜め状に形成されている請求項１又は２記載のファイルボックス。
【請求項４】
前記ファイルボックス本体の前板及び後板に貫設された係合凹部に、前記仕切板の前端及び後端にそれぞれ突設された係合突起を係合させて仕切板をファイルボックス本体に位置決めしている請求項１、２又は３記載のファイルボックス。
【請求項５】
前記仕切板が、前記収納空間を仕切る仕切板主要部と、この仕切板主要部の下端から左右に延設され前記収納空間の底面を構成する左右対をなす仕切板底片部とを備えたものであり、前記両仕切板底片部の水平姿勢が維持され得るようにして当該仕切板を前記ファイルボックス本体に取り付けている請求項１、２又は３記載のファイルボックス。
【請求項６】
前記左右にそれぞれ延設された仕切板底片部の前端及び後端にそれぞれ板状をなす係合突起を設けており、これらの係合突起をファイルボックス本体の前端及び後端にそれぞれ設けられたスリット状の係合凹部にそれぞれ係合させている請求項５記載のファイルボックス。
【請求項７】
前記把手の把持部の前縁が前記ファイルボックス本体の前板よりも後方に位置させてある請求項１、２、３、４、５又は６記載のファイルボックス。
【発明の詳細な説明】
【技術分野】
【０００１】
本発明は、内部に書類等の収納物を収納するファイルボックスに関する。
【背景技術】
【０００２】
従来、内部に書類等の収納物を収納するファイルボックスにおいて、運搬の利便性を高めるとともに、収納空間の効率性を高めるべく、箱型をなし内部に収納空間を有するファイルボックス本体と、前記収納空間を区成する仕切板と、その仕切板に突没可能に設けられた把手とを具備する構成が知られている（例えば、特許文献１を参照）。
【０００３】
ところが、このようなファイルボックスを活用するにあたって、前記特許文献１記載のもののような箱型のファイルボックス本体を有するものは、収納物の内容を確認する際に収納物を一旦取り出す必要があり、閲覧性がよいとは言えないという課題が存在する。
【０００４】
また、前記特許文献１記載のものは、把手を仕切板に埋没させることにより収納空間の大きさを確保するようにしているが、その際、把手の把持部も埋没するため、運搬の際に把手を引き出すことが難しいという課題も存在する。
【先行技術文献】
【特許文献】
【０００５】
【特許文献１】実開昭６１−８３９７５号公報
【発明の概要】
【発明が解決しようとする課題】
【０００６】
本発明は、少なくとも上述した課題を解決することを目的とする。
【課題を解決するための手段】
【０００７】
請求項１記載の発明に係るファイルボックスは、内部に収納空間を有するファイルボックス本体と、その収納空間を区成する仕切板と、その仕切板に設けられた把手とを備え、前記ファイルボックス本体は、前板と、前記前板よりも高く設定された後板と、これら前板及び後板を連結する両側板とを備え、前記両側板及び前記仕切板の上縁は切り欠いて形成されており、前記把手は、前記仕切板に対して、その上縁が前記後板の上縁とほぼ同じ高さ位置又は低い位置となる没入位置と、その上縁が前記後板の上縁よりも上方となる引き出し位置との間で突没動作可能に設けられたものであり、前記没入位置においても前記把手の把持部が露出するように構成されているものである。
【０００８】
請求項２記載の発明に係るファイルボックスは、請求項１記載の構成のものにおいて、前記把手の把持部を把持して持ち上げた場合に、前記空のファイルボックス本体が後傾する位置に、当該把持部の前後方向位置を設定しているものである。
【０００９】
請求項３記載の発明に係るファイルボックスは、請求項１又は２記載の構成のものにおいて、前記把手を引き上げた際に、前記仕切板に当接する当該把手の当接部分が、前記仕切板の形状に対応するように斜め状に形成されているものである。
【００１０】
請求項４記載の発明に係るファイルボックスは、請求項１、２又は３記載の構成のものにおいて、前記ファイルボックス本体の前板及び後板に貫設された係合凹部に、前記仕切板の前端及び後端にそれぞれ突設された係合突起を係合させて仕切板をファイルボックス本体に位置決めしているものである。
【００１１】
請求項５記載の発明に係るファイルボックスは、請求項１、２又は３記載の構成のものにおいて、前記仕切板が、前記収納空間を仕切る仕切板主要部と、この仕切板主要部の下端から左右に延設され前記収納空間の底面を構成する左右対をなす仕切板底片部とを備えたものであり、前記両仕切板底片部の水平姿勢が維持され得るようにして当該仕切板を前記ファイルボックス本体に取り付けているものである。
【００１２】
請求項６記載の発明に係るファイルボックスは、請求項５記載の構成のものにおいて、前記左右にそれぞれ延設された仕切板底片部の前端及び後端にそれぞれ板状をなす係合突起を設けており、これらの係合突起をファイルボックス本体の前端及び後端にそれぞれ設けられたスリット状の係合凹部にそれぞれ係合させているものである。
【００１３】
請求項７記載の発明に係るファイルボックスは、請求項１、２、３、４、５又は６記載の構成のものにおいて、前記把手の把持部の前縁が前記ファイルボックス本体の前板よりも後方に位置させてあるものである。
【発明の効果】
【００１４】
本発明によれば、少なくとも上述した課題を解決することができるファイルボックスを提供することが可能になる。
【図面の簡単な説明】
【００１５】
【図１】本発明の一実施形態に係るファイルボックスを示す全体斜視図。
【図２】同実施形態に係るファイルボックスを示す左側面図。
【図３】同実施形態に係るファイルボックスを示す正面図。
【図４】図２におけるＡ−Ａ線に沿った拡大断面図。
【図５】図２におけるＢ−Ｂ線に沿った拡大断面図。
【図６】図３におけるＣ−Ｃ線に沿った断面図。
【図７】同実施形態に係るファイルボックスを示す分解斜視図。
【図８】同実施形態に係るファイルボックスの仕切板を示す展開図。
【図９】同実施形態に係るファイルボックスの把手を示す展開図。
【図１０】同実施形態に係るファイルボックスの組立手順を示す説明図。
【図１１】同実施形態に係るファイルボックスの組立手順を示す説明図。
【図１２】同実施形態に係るファイルボックスの組立手順を示す説明図。
【図１３】同実施形態に係るファイルボックスの組立手順を示す説明図。
【図１４】同実施形態に係るファイルボックスの組立手順を示す説明図。
【図１５】同実施形態に係るファイルボックスの組立手順を示す説明図。
【図１６】同実施形態に係るファイルボックスの組立手順を示す説明図。
【図１７】同実施形態に係るファイルボックスの組立手順を示す説明図。
【発明を実施するための形態】
【００１６】
本発明の一実施形態を、図１〜図１７を参照しつつ以下に述べる。
【００１７】
本実施形態に係るファイルボックスＦは、図１〜図６に示すように、内部に収納空間Ｓを有するファイルボックス本体１と、その収納空間Ｓを区成する仕切板２と、その仕切板２に設けられた把手３とを備えたものである。
【００１８】
前記ファイルボックス本体１は、図１〜図７に示すように、前板１１と、前記前板１１よりも高く設定された後板１２と、これら前板１１及び後板１２を連結する右及び左の側板１３、１４と、前記収納空間Ｓの下面を塞ぐ底板１５とを備えている。前記両側板１３、１４及び前記仕切板２の上縁は、斜め状に切り欠いて形成されている。
【００１９】
前記前板１１は、前記収納空間Ｓの前面に位置するもので、例えばダンボール素材により構成された単板状のものである。また、この前板１１の下端には、図１、図３、図６及び図７に示すように、該前板１１を貫通し水平方向に延びるスリット状の係合凹部１１ｘが形成されている。
【００２０】
前記後板１２は、前記収納空間Ｓの後面に位置するもので、図１及び図３〜図６に示すように、例えばダンボール素材により構成された後板主要部１２１と、この後板主要部１２１の上端部に連続し該後板主要部１２１の内面側に折り返された後板折返し部１２２とを具備してなり、下端近傍に指掛孔１２１ｘが形成されている。また、この後板１２の上端近傍における左右両側縁部には、該後板１２を貫通し上下方向に延びるスリット状の係合凹部１２１ｙが形成されている。さらに、この後板１２の下端には、該後板１２を貫通し水平方向に延びるスリット状の係合凹部１２１ｚが形成されている。
【００２１】
前記右の側板１３は、前記収納空間Ｓの右側面に位置するもので、図１及び図４〜図７に示すように、例えばダンボール素材により構成された側板主要部１３１と、前記側板主要部１３１の内面に添設された側板前折返し部１３２と、前記側板主要部１３１の内面に添設された側板後折返し部１３３とを具備してなる。前記側板主要部１３１は、前記前板１１に連続する前辺１３１ａと、前記後板１２に連続する後辺１３１ｂと、前記底板１５に接続する底辺１３１ｃと、前記前辺１３１ａの上端に連続する第１の上辺１３１ｄと、この第１の上辺１３１ｄの後端から前記後辺１３１ｂの上端に至る第２の上辺１３１ｅとを備えた側面視台形状のものである。前記第１の上辺１３１ｄは、前方に向かって漸次降下する斜め状をなしており、前記第２の上辺１３１ｅは底辺と平行な水平状をなしている。前記側板前折返し部１３２は、前記側板主要部１３１の第１の上辺１３１ｄに折り線ＬＬ１を介して一体に設けられたもので、収納空間Ｓ側に折り返した上で、前記側板主要部１３１の内面に添接されている。前記側板後折返し部１３３は、前記側板主要部１３１の第２の上辺１３１ｅに折り線ＬＬ２を介して一体に設けられたもので、後側領域１３３ａと、この後側領域１３３ａに折り線ＬＬ３を介して連設された前側領域１３３ｂとを備えており、前記前側領域１３３ｂを前記側板主要部１３１と前記側板前折返し部１３２との間に差し込みつつ、前記後側領域１３３ａを前記側板主要部１３１の内面側に折り返すようにしたものである。さらに、この側板後折返し部１３３の後端には係合突起１３３ｃが設けられており、この係合突起１３３ｃを前記後板１２の上端近傍に設けたスリット状の係合凹部１２１ｙに係合させるようにしている。そして、この右の側板１３の下端には、後述する底板１５の底板主要部１５１が連続させてある。
【００２２】
前記左の側板１４は、前述した右の側板１３と略左右対称な形状をなすもので、図１、図２、図４、図５及び図７に示すように、例えばダンボール素材により構成された側板主要部１４１と、前記側板主要部１４１の内面に添設された側板前折返し部１４２と、前記側板主要部１４１の内面に添設された側板後折返し部１４３とを具備してなる。前記側板主要部１４１は、前記前板１１に連接された前辺１４１ａと、前記後板１２に連続する後辺１４１ｂと、前記底板１５に接続する底辺１４１ｃと、前記前辺１４１ａの上端に連続する第１の上辺１４１ｄと、この第１の上辺１４１ｄの後端から前記後辺１４１ｂの上端に至る第２の上辺１４１ｅとを備えた側面視台形状のものである。前記第１の上辺１４１ｄは、前方に向かって漸次降下する斜め状をなしており、前記第２の上辺１４１ｅは底辺１４１ｃと平行な水平状をなしている。前記側板前折返し部１４２は、前記側板主要部１４１の第１の上辺１４１ｄに折り線ＬＬ４を介して一体に設けられたもので、収納空間Ｓ側に折り返した上で、前記側板主要部１４１の内面に添接されている。前記側板後折返し部１４３は、前記側板主要部１４１の第２の上辺１４１ｅに折り線ＬＬ５を介して一体に設けられたもので、後側領域１４３ａと、この後側領域１４３ａに折り線ＬＬ６を介して連設された前側領域１４３ｂとを備えており、前記前側領域１４３ｂを前記側板主要部１４１と前記側板前折返し部１４２との間に差し込みつつ、前記後側領域を前記側板主要部１４１の内面側に折り返すようにしたものである。さらに、この側板後折返し部１４３の後端には係合突起１４３ｃが設けられており、この係合突起１４３ｃを前記後板１２の上端近傍に設けたスリット状の係合凹部１２１ｙに係合させるようにしている。そして、この左の側板１４の下端には、後述する底板１５の底板側片部１５２が連続させてあるとともに、該側板１４を貫通し水平方向に延びる前後対をなすスリット状の係合凹部１４１ｘが形成されている。なお、前記前板１１の左側端からは貼着片１６が突設されており、この貼着片１６を９０度内方に折り返した上でこの左の側板１４の内面に貼着することによりこの左の側板１４と前記前板１１とが連結されている。
【００２３】
前記底板１５は、前述したように前記収納空間Ｓの下面を塞ぐものであり、図４〜図６に示すように、右の側板１３の下縁に連続する底板主要部１５１と、左の側板１４の下縁に連続する底板側片部１５２と、前板１１の下縁に連続する底板前片部１５３と、後板１２の下縁に連続する底板後片部１５４とを具備してなる。前記底板主要部１５１は、前記収納空間Ｓの下面のほぼ全域を塞ぐ形状を有しており、その先端縁には、前記左の側板１４の下端に設けた係合凹部１４１ｘに係合可能な前後対をなす板状の係合突起１５１ａを設けてある。前記底板側片部１５２は、前記左の側板１４の下縁から折り返されたもので、前記収納空間Ｓの左片半部を塞ぐ程度の大きさを備えている。この底板側片部１５２は、使用状態において前記底板主要部１５１の下面側に重なり合う。前記底板前片部１５３は、前記前板１１の下縁から折り返されたもので、前記底板主要部１５１と前記底板側片部１５２との間に介設されている。前記底板後片部１５４は、前記後板１２の下縁から折り返されたもので、前記底板主要部１５１と前記底板側片部１５２との間に介設されている。
【００２４】
前記仕切板２は、図１及び図３〜図７に示すように、前記収納空間Ｓを仕切る仕切板主要部２１と、この仕切板主要部２１の下端から左右に延設され前記ファイルボックス本体１の底板１５上に重なり合う仕切板底片部２２と、前記仕切板主要部２１の後端から左右に延設された仕切板後片部２３と、前記仕切板後片部２３の延出端から前記ファイルボックス本体１の対応する側板１３、１４に沿って前方に伸びる仕切板側片部２４とを具備してなる。また、この仕切板２は、その前端及び後端にそれぞれ突設された係合突起２２１、２２１を前記ファイルボックス本体１の前板１１及び後板１２に貫設された係合凹部１１ｘ、１２１ｚに係合させてファイルボックス本体１に対する位置決めするようにしてある。そして、この仕切板２は、前記両仕切板底片部２２の水平姿勢が維持され得るようにして前記ファイルボックス本体１に取り付けられている。
【００２５】
前記仕切板主要部２１は、図１及び図３〜図７に示すように、左右対をなす仕切板立壁部分２１１を備えている。これら左右の仕切板立壁部分２１１は、いずれも、前記ファイルボックス本体１の前板１１に対向する前辺２１１ａと、前記ファイルボックス本体１の後板１２に対向する後辺２１１ｂと、前記ファイルボックス本体１の底板１５に対向する底辺２１１ｃと、前記前辺２１１ａの上端に連続する第１の上辺２１１ｄと、この第１の上辺２１１ｄの後端から前記後辺２１１ｂの上端に至る第２の上辺２１１ｅとを備えた側面視台形状のものである。前記第１の上辺２１１ｄは、前方に向かって漸次降下する斜め状をなしており、前記第２の上辺２１１ｅは底辺と平行な水平状をなしている。また、前記両仕切板立壁部分２１１における前記第１の上辺２１１ｄの前端近傍の部位は、前接続部分２１２を介して接続されているとともに、前記両仕切板立壁部分２１１における前記第１の上辺２１１ｄの後端近傍の部位は、後接続部分２１３を介して接続されている。これら前接続部分２１２と後接続部分２１３との間には、把手３が通過可能なスリット状をなす把手挿通部分２１４が形成されている。さらに、前記両仕切板立壁部分２１１における前記第２の上辺２１１ｅには、折り線を介して立壁折返し片２１５が一体に設けられている。これらの立壁折返し片２１５は、対応する各両仕切板立壁部分２１１の内面側に折り返されており、両仕切板立壁部分２１１間に挟持されている。そして、これら両仕切板立壁部分２１１における前記ファイルボックス本体１の指掛孔１２１ｘに対応する箇所には、半円弧状の切欠２１１ｘがそれぞれ設けられている。
【００２６】
前記仕切板底片部２２は、前述したように、また、図４〜図６に示すように、前記仕切板主要部２１の下端から左右にそれぞれ延設された左右対をなすものであり、前記ファイルボックス本体１の底板１５上に重なり合う。これら仕切板底片部２２の前端及び後端にはそれぞれ板状をなす係合突起２２１、２２１を設けており、これらの係合突起２２１、２２１をファイルボックス本体１の前板１１及び後板１２、より具体的には前記前板１１の下端及び前記後板１２の下端にそれぞれ貫設されたスリット状の係合凹部１１ｘ、１２１ｚにそれぞれ係合させている。すなわち、板状をなす係合突起２２１、２２１とスリット状をなす係合凹部１１ｘ、１２１ｚとを係合させることにより、左右対をなす仕切板底片部２２が仕切板主要部２１に直交する水平姿勢を維持することになる。そのため、収納空間Ｓに収納された収納物による荷重は、おもにこの仕切板底片部２２から仕切板主要部２１を介して把手３に伝達されることになり、ファイルボックス本体１に大きな荷重が作用するのを抑制することができる。
【００２７】
前記仕切板後片部２３は、前述したように、また、図３〜図６に示すように、前記仕切板主要部２１の後端から左右に延設されたものであり、前記ファイル本体の後板１２の内面に添接されている。この仕切板後片部２３の上端２３ａは、前記ファイル本体の後板１２の後板折返し部１２２に突き合わされている。また、この仕切板後片部２３における前記ファイルボックス本体１の指掛孔１２１ｘに対応する箇所には、前記仕切板立壁部分２１１の切欠と連続する半円弧状の切欠２３１がそれぞれ設けられている。
【００２８】
前記仕切板側片部２４は、前述したように、また、図１、図４〜図６に示すように、前記仕切板後片部２３の延出端から前記ファイルボックス本体１の両側板１３、１４に沿ってそれぞれ前方に伸びており、前記ファイルボックス本体１の両側板１３、１４の内面にそれぞれ添接されている。この仕切板側片部２４の上側領域２４ａは、前記ファイルボックス本体１の側板主要部１３１と側板後折返し部１３３との間で挟持されており、その上側領域２４ａの上端は前記側板主要部１３１と前記側板後折返し部１３３との境界部分内面に当接している。
【００２９】
すなわち、この仕切板２は、前記仕切板底片部２２の係合突起２２１、２２１がファイルボックス本体１の前端及び後端にそれぞれ設けられた係合凹部１１ｘ、１２１ｚと係合し、前記仕切板後片部２３の上端２３ａが前記ファイル本体の後板１２の後板折返し部１２２に突き合わされているとともに、前記仕切板側片部２４の上側領域２４ａの上端が前記側板主要部１３１と前記側板後折返し部１３３との境界部分内面に当接していることにより、前記ファイルボックス本体１に対する上動が禁止されている。
【００３０】
以上説明した仕切板２は、共通のダンボール素材を用いて一体に構成されたもので、図８は、この仕切板２の展開図である。この図８に示されるように、前記仕切板主要部２１の前記仕切板立壁部分２１１と前記前後の連結部分２１２、２１３との間には、折り線Ｌ１ａ、Ｌ１ｂがそれぞれ介在しており、前記仕切板主要部２１と前記仕切板底片部２２との間には折り線Ｌ２が介在しており、前記仕切板主要部２１と前記仕切板後片部２３との間には折り線Ｌ３が介在しており、前記仕切板後片部２３と前記仕切板側片部２４との間には折り線Ｌ４が介在している。
【００３１】
前記把手３は、前記仕切板２に対して、その上縁が前記後板１２の上縁とほぼ同じ高さ位置又は低い位置となる没入位置（Ｂ）と、その上縁が前記後板１２の上縁よりも上方となる引き出し位置（Ｈ）との間で突没動作可能に設けられたものである。図１〜図６における実線はこの把手３を没入位置（Ｂ）に収納させた状態を示しており、図２、図３及び図６における想像線はこの把手３を引き出し位置（Ｈ）に引き出した状態を示している。前記没入位置（Ｂ）においては、把手３の上縁が前記後板１２の上縁とほぼ同じ高さ位置又は低い位置となるが、この把手３の把持部３３はこの没入位置（Ｂ）においても露出するように構成されている。
【００３２】
この把手３は、図１、図３及び図５〜図７に示すように、左右対をなす把手立片部３１と、これら対をなす把手立片部３１の上縁同士を接続する接続部３２とを備えている。
【００３３】
前記把手立片部３１は、図６及び図７に示すように、前記没入位置（Ｂ）及び引き上げ位置のいずれにおいても前記仕切板２の両仕切板立壁部分２１１間に位置する埋没領域３１１と、前記没入位置（Ｂ）においてはその上部が、前記引き上げ位置においてはその全体が外部に露出する露出領域３１２とを備えている。Ｌ０は、これら埋没領域３１１と露出領域３１２との境界を示す仮想線である。前記没入位置（Ｂ）に配された状態で前記埋没領域３１１における前記指掛孔１２１ｘに対応する部位には、半円弧状の切欠部分３１１ｘが設けられている。前記埋没領域３１１の上縁は、前記把手３を引き上げて前記引き出し位置（Ｈ）に配した際に前記仕切板２に当接する当接部分３１１ａであり、前記仕切板２の形状に対応するように斜め状に形成されている。また、前記露出領域３１２は、前記埋没領域３１１の上縁から上方に延出させたもので、前記仕切板２のスリット状をなす前記把手挿通部分２１４を貫通してその上端側が外部に露出させてある。そして、その露出領域３１２の上端近傍には、前記把持部３３が設けられている。この把持部３３の前後方向位置は、該把持部３３を把持して持ち上げた場合に、前記空のファイルボックス本体１が後傾する位置に設定している。また、この把持部３３の前縁は、前記ファイルボックス本体１の前板１１よりも後方に位置させてある。そして、両把手立片部３１の上縁が、前記接続部３２により接続されている。また、この把持部３３は、一方の把手立片部３１に設けた把持用指挿通孔３３１と、他方の把手立片部３１に設けた把持用指挿通孔３３２とを利用して構成されたもので、前記一方の把持用指挿通孔３３１の上縁には下方に延出する指当て片３３３が設けられている。この指当て片３３３は、図面では一方の把手立片部３１に面一に描いてあるが、使用するに際しては、他方の把手立片部３１側に折り曲げられる。
【００３４】
以上説明した把手３は、共通のダンボール素材を用いて一体に構成されたもので、図９は、この把手３の展開図である。この図９に示されるように、前記両把手立片部３１と前記接続部との間には、それぞれ折り線Ｌ５が介在している。また、前記両把手立片部３１において、Ｌ０は、埋没領域３１１と露出領域３１２との境界を示す仮想線であり、この仮想線を境に、前記接続部から遠い側の領域が埋没領域３１１、前記接続部に隣接している領域が露出領域３１２である。Ｌ６及びＬ７は、前記指当て片３３３の基端及び幅方向中央にそれぞれ介在する折り線である。
【００３５】
次いで、このボックスファイルの組立手順を図１０〜図１７を参照して説明する。
【００３６】
図１０〜図１２は、ファイルボックス本体１の組立手順を示している。組み立て前の梱包状態では、このファイルボックス本体１は、図１０に示すように、前板１１、側板及び後板１２がそれぞれ重なるように扁平に折りたたまれている。この状態から、前板１１及び後板１２を９０度起立させたうえで、図１１に示すように、底板１５を組み立てる。この底板１５の組立については、周知なボックスファイルに準じたものであるため、詳細な説明は省略する。すなわち、図１２に示すように、底板１５の底板主要部１５１の係合突起１５１ａを左の側板１４の下端の係合凹部１４１ｘに係合させることにより、底板１５の組立が完了し、ファイルボックス本体１がほぼ完成する。なお、この段階では、同図に示すように、両側板１３、１４の側板後折返し部１３３、１４３は、折り返さずに起立させた状態としておく。
【００３７】
図１３〜図１５は、把手３が組み込まれた仕切板２の組立手順を示している。組み立て前の梱包状態では、この仕切板２は、図１３に示すように、両仕切板立壁部分２１１間に把手３が挟持された状態で、扁平に折りたたまれている。この状態から、図１４に示すように、仕切板底片部２２を仕切板立壁部分２１１に対して外側に９０度折り返すとともに、仕切板後片部２３を仕切板立壁部分２１１に対して外側に９０度折り返し、さらに仕切板側片部２４を仕切板後片部２３に対して９０度前方に折り返して、図１５に示すように、仕切板２を完成させる。
【００３８】
図１６〜図１７は、ファイルボックスＦを完成させる手順を示している。図１６に示すように、完成した仕切板２の仕切板底片部２２の係合突起２２１、２２１を、ほぼ完成したファイルボックス本体１における前板１１の下端の係合凹部１１ｘ、及び後板１２の下端の係合凹部１２１ｚにそれぞれ係合させて、仕切板２をファイルボックス本体１に対して位置決めする。その後、図１７に示すように、ファイルボックス本体１の側板後折り返し部１３３、１４３の前側領域１３３ｂ、１４３ｂを前記側板主要部１３１、１４１と前記側板前折返し部１３２、１４２との間にそれぞれ差し込みつつ、前記後側領域１３３ａ、１４３ａを前記側板主要部１３１、１４１の内面側にそれぞれ折り返し、該後折返し部１３３、１４３の係合突起１３３ｃ、１４３ｃを前記後板１２の上端近傍に設けたスリット状の係合凹部１２１ｙ、１２１ｙに係合させて、この後折返し部１３３、１４３と前記側板主要部１３１、１４１との間で前記仕切板側片部２４の上側領域２４ａを挟持させると、図１〜図６に示すようなファイルボックスＦが完成する。
【００３９】
このような構成のものであれば、両側板１３、１４及び前記仕切板２の上縁が斜め状に切り欠いて形成されているので、収納物の内容を確認する際に収納物を一旦取り出す必要がなく、閲覧性の向上を図ることができる。また、前記没入位置（Ｂ）においても前記把手３の把持部３３が露出するように構成されているので、このファイルボックスＦを運搬する際には把持部３３を把持することが容易であり、運搬の際の利便性の向上を図ることもできる。
【００４０】
また、前記把手３の把持部３３を把持して持ち上げた場合に、前記空のファイルボックス本体１が後傾する位置に、当該把持部３３の前後方向位置を設定しているので、前板１１が後板１２よりも低く設定されているこのようなファイルボックスＦにおいても、運搬の際に前板１１側から収納物が飛び出ることを抑制することができる。
【００４１】
さらに、前記把手３を引き上げた際に、前記仕切板２に当接する当該把手３の当接部分３１１ａが、前記仕切板２の形状に対応するように斜め状に形成されているので、少なくとも引き出し位置（Ｈ）において前記把手３が前記仕切板２に対して正確に位置決めされることになり、安定した運搬姿勢を保つことができる。
【００４２】
加えて、前記ファイルボックス本体１の前板１１及び後板１２に貫設された係合凹部１１ｘ、１２１ｚに、前記仕切板２の前端及び後端にそれぞれ突設された係合突起２２１、２２１をそれぞれ係合させて仕切板２をファイルボックス本体１に位置決めしているので、収納空間Ｓ内に係合凹部を形成するための突出部分を設ける必要がない。そのため、ファイルボックス本体１の長手寸法をいたずらに大きくすることなく、収納空間Ｓの前後方向の内法寸法を可及的に大きく確保することが可能となる。ちなみに本実施形態においては、前板１１を単板構造としているとともに、後板１２を単板構造の後板主要部１２１と、その板主要部の上端部内面に添接させた単板構造の後板折返し部１２２とのみにより構成しているので、ファイルボックス本体１の前後方向の外寸と内寸との差をきわめて小さなものにすることができる。そのため、ファイルボックス本体１の長手寸法を大きくすることなく、一定量の収納空間を確保することができる。すなわち、収納空間Ｓの内法寸法は確保しつつ、例えばデスクワゴン下段引き出しのような限られた寸法に設計された収納場所であっても、一般的なファイルボックスと同様に支障なく収納することができる。
【００４３】
前記仕切板２が、前記収納空間Ｓを仕切る仕切板主要部２１と、この仕切板主要部２１の下端から左右に延設され前記収納空間Ｓの底面を構成する左右対をなす仕切板底片部２２とを備えたものであり、前記両仕切板底片部２２の水平姿勢が維持され得るようにして当該仕切板２を前記ファイルボックス本体１に取り付けているので、収納空間Ｓに収納された収納物による荷重は、おもにこの仕切板底片部２２から仕切板主要部２１を介して把手３に伝達されることになり、ファイルボックス本体１に大きな荷重が作用するのを抑制することができる。従って、ファイルボックスＦと仕切板２との接続部分の構造を簡素化することが可能となり、ファイルボックス本体１の長手寸法を大きくすることなく、一定量の内法寸法を有する収納空間Ｓを確保するという課題を解決することにもつながる。
【００４４】
特に本実施形態では、前記左右にそれぞれ延設された仕切板底片部２２の前端及び後端にそれぞれ板状をなす係合突起２２１、２２１を設けており、これらの係合突起２２１、２２１をファイルボックス本体１の前端及び後端にそれぞれ設けられたスリット状の係合凹部１１ｘ、１２１ｚにそれぞれ係合させているので、簡単な構成により両仕切板底片部２２の水平姿勢を効果的に維持することができる。
【００４５】
そして、前記把手３の把持部３３の前縁が前記ファイルボックス本体１の前板１１よりも後方に位置させてあるので、収納物の上前角部を把手３に邪魔されることなく厚み方向に変形させてめくることが容易になる。そのため、収納物の検索を能率的に行うことができる。
【００４６】
なお、本発明は以上に述べた実施形態に限らない。
【００４７】
例えば、上述した実施形態では、前述したように、運搬の際に前板側から収納物が飛び出ることを抑制すべく、把手の把持部を把持して持ち上げた場合に空のファイルボックス本体が後傾する位置に当該把持部の前後方向位置を設定しているが、他の手段により運搬の際における前板側からの収納物の飛び出しを抑制するようにしてもよい。
【００４８】
また、引き出し位置における把手の仕切板に対する位置決めを行うための手段は、上述した実施形態に係る以外のもの、すなわち、把手を引き上げた際に、仕切板に当接する当該把手の当接部分が、前記仕切板の形状に対応するように斜め状に形成する以外の手段であってもよい。但し、仕切板に当接する当該把手の当接部分が前記仕切板の形状に対応するように斜め状に形成されているものであれば、引き出し位置における把手が仕切り板に線的ないし面的に当接するので、把手の特定箇所に大きな力がかかることがなく、長寿命化を図ることができる。
【００４９】
さらに、ファイルボックス本体に対する仕切板の前後方向の位置決めも、上述した実施形態に係る手段以外、すなわち、仕切板の前端及び後端にそれぞれ突設された係合突起をファイルボックス本体の前板及び後板に貫設された係合凹部に係合させる以外の手段を利用して行うようにしてももちろんかまわない。但し、上述した実施形態に係る手段によれば、前述したように、ファイルボックスの外寸をいたずらに大きくすることなく収納空間の前後方向の内法寸法を可及的に大きく確保できる。
【００５０】
加えて、仕切板のファイルボックス本体に対する取付態様も、上述した実施形態に係るものに限らず、種々のものを採用してよい。但し、上述した実施形態に係る取付態様によれば、前述したように、仕切板の両仕切板底片部の水平姿勢が維持され得るようにしていることにより、ファイルボックス本体に大きな荷重が作用するのを抑制し、ファイルボックスと仕切板との接続部分の構造を簡素化することができる。また、仕切板の両仕切板底片部の水平姿勢を維持するための手段も、上述した実施形態に係るものに限らず、種々のものを採用してよい。
【００５１】
その上、把持部の前後方向位置は任意に設定してよい。但し、上述した実施形態のように、把手の把持部の前縁を前記ファイルボックス本体の前板よりも後方に位置させれば、前述したように、収納物の検索を能率的に行うことができるという効果を得ることができる。
【００５２】
加えて、上述した実施形態では、両側板及び仕切板の上縁は斜め状に切り欠いて形成しているが、両側板及び仕切板の上縁を、円弧状、階段状等、他の形状に切り欠いて形成してももちろんよい。
【００５３】
そして、ファイルボックス本体、仕切板及び把手は、上述した実施形態では、いずれもダンボール素材のシートを用いて構成しているが、これらファイルボックス本体、仕切板及び把手のうちいずれか一つか二つ、又はこれら全てを、ダンボール素材以外の材料によるシートを用いて構成してももちろんよい。ダンボール素材以外の材料によるシートの例として、例えば、ポリプロピレン発泡シートや、その他の樹脂製シート等が挙げられる。
【００５４】
その他、本発明の趣旨を損ねない範囲で種々に変更してよい。
【符号の説明】
【００５５】
Ｆ…ファイルボックス
１…ファイルボックス本体
１１…前板
１１ｘ…係合凹部
１２…後板
１２１ｚ…係合凹部
１３、１４…側板
２…仕切板
２１…仕切板主要部
２２…仕切板底片部
２２１…係合突起
３…把手
３１１ａ…当接部分
３３…把持部
（Ｂ）…没入位置
（Ｈ）…引き出し位置
【図１】
2018183966.tif 000003
【図２】
2018183966.tif 000004
【図３】
2018183966.tif 000005
【図４】
2018183966.tif 000006
【図５】
2018183966.tif 000007
【図６】
2018183966.tif 000008
【図７】
2018183966.tif 000009
【図８】
2018183966.tif 000010
【図９】
2018183966.tif 000011
【図１０】
2018183966.tif 000012
【図１１】
2018183966.tif 000013
【図１２】
2018183966.tif 000014
【図１３】
2018183966.tif 000015
【図１４】
2018183966.tif 000016
【図１５】
2018183966.tif 000017
【図１６】
2018183966.tif 000018
【図１７】
2018183966.tif 000019